(57)【特許請求の範囲】
【請求項１】
熱可塑性合成樹脂をブロー成形してなる二重に密封可能な中空容器であって、該容器の口頸部先端の注出口には注ぎ口が形成されており、また、該口頸部の内側には密封片を剥離可能に接着する面が形成され、且つ、口頸部の外周面には前記注出口に嵌合して密封する外蓋を係止する係合突起が形成されてなることを特徴とする注ぎ口付き中空容器。
【請求項２】
前記密封片を剥離可能に接着する面は、注ぎ口の底部より下の位置に環状に突出した平面状に形成されてなることを特徴とする請求項１に記載する注ぎ口付き中空容器。
【請求項３】
前記係合突起は、注ぎ口の底部より下の位置に環状に突出して形成されてなることを特徴とする請求項１に記載する注ぎ口付き中空容器。
【請求項４】
前記注ぎ口は、注出口の筒状壁の一部を切欠いた状態に形成されてなることを特徴とする請求項１乃至３記載する注ぎ口付き中空容器。
【請求項５】
前記注ぎ口は、注出口の筒状壁の対称となる部分の一部を切欠いた状態に形成されてなることを特徴とする請求項１乃至３に記載する注ぎ口付き中空容器。
【請求項６】
前記注ぎ口は、注出口の筒状壁の一部を半円形状に切欠いてなることを特徴とする請求項４または５に記載する注ぎ口付き中空容器。
【請求項７】
前記注ぎ口は、注出口の筒状壁の一部を四角形状に切欠いてなることを特徴とする請求項４または５に記載する注ぎ口付き中空容器。
【請求項８】
前記注ぎ口は、注出口の筒状壁の一部を台形状に切欠いてなることを特徴とする請求項４または５に記載する注ぎ口付き中空容器。
【請求項９】
上記請求項１乃至４に記載する注ぎ口付き中空容器に於いて、該容器の口頸部に嵌合して注出口を密封するキャップ状をした外蓋の側壁の一部に、前記注ぎ口に対応する開口を形成してなることを特徴とする注ぎ口付き中空容器。
【請求項１０】
前記口頸部に嵌合した外蓋は、回動可能に口頸部の係合突起に係止されてなることを特徴とする請求項９に記載する注ぎ口付き中空容器。
【請求項１１】
中空容器の注出口を形成する口頸部分と胴体部分を形成する本体部分とを備えた所定形状をしたプリフォームに熱可塑性合成樹脂を射出成形すると共に、前記注出口には切欠き部を、口頸部の内側には突出面を、口頸部の外周面には突起部をそれぞれ形成したプリフォームを成形して、前記プリフォームをブロー成形するのに適した温度に加熱して、該プリフォームをブロー成形装置により２軸延伸ブロー成形を行って、やや肉厚に成形して強度を有する口頸部と、それに続くやや肉薄に成形して押圧変形可能な胴部とからなる中空容器に成形すると共に、前記注出口には切欠き状をした注ぎ口が形成され、また、口頸部の内面には剥離可能に密封片を接着する突起した平面部を、外周面には外蓋を係止する係合突起とネックリングが形成されてなることを特徴とする注ぎ口付き中空容器を成形する方法。
【発明の詳細な説明】
【０００１】
【発明の属する技術分野】
本願の発明は、容器の開口部を密封したフィルム材を容易に剥離可能に接着することにより不正開封を防止した中空容器に係わり、特に、容器の口頸部に注ぎ口を設けて注ぎ易くすると共に、開口部を密封した剥離が容易なフィルムを保護するキャップを口頸部に被着した中空容器に関するものである。
【０００２】
【従来の技術】
熱可塑性合成樹脂からなる中空容器に於いて、不正開封を防止する二重密封構造にした容器の代表的な例ものとしては、従来から特開平５−３０５９４１号公報や実開平７−９７５１号公報に記載されるような注出口を設けた中空容器が一般に知られている。
これ等の容器は、内部には醤油や味醂、食用油等の内容液を収容して、容器の開口部を切除可能な開封片を設けた密封部を有する口頸部材により完全に密封するようにしたものであり、その概要は図５及び６に示すように、容器本体３１の開口端３１ａに、嵌合溝部を有する嵌合筒部３２ａの内側上部に注出筒部３２ｂを形成すると共に、該注出筒部の内側に切除可能な開封片３２ｄを設けた密封天板を形成してなる注出口３２を嵌合、一体かして密封すると共に、該注出口にネジ蓋等の外蓋体３３を嵌着せしめる二重蓋構造をした密封中空容器である。
【０００３】
上記のような構造をした中空容器に於いては、容器に収容されている内容液を注出するには、外蓋体３３を開封した後に、切除可能に設けられた内蓋である密封天板部分に切除可能に設けられた開封片３２ｄを摘み片３２ｃと共に引き抜いて除去しなければ、内容液を注出できないような構造に形成されている。
そして、一度前記開封片３２ｄを除去して内容液を注出した後では、再び内容液を補充して、元の状態に復元したりすることは不可能な構造をしいる。
【０００４】
そして、上記のような構造をした注出口を有する中空容器を形成するには、容器本体の開口部に嵌合可能な形状をして、且つ、簡単に除去可能な開封片を有する密封天板を設けてなる注出口体を射出成形により成形しておいて、これとは別体にブロー成形した容器本体の開口部に、前記注出口体を嵌合せしめて一体化した注出口を有する中空容器に成形した後、該中空容器に熱処理操作を施して耐熱性や機械的強度を付与しなければならず、製造工程が複雑になり、また、このような注出口を成形するための射出成形金型は、複雑な構造と戦い精度を必要とする。
更には、該注出口部分に螺合して密閉する外蓋等は、別途成形することが必要である等の種々の要因から容器の製造コストが高くなる欠点があった。
【０００５】
そこで、上記のような種々の欠点をなくして、容器の開口部に簡単な構造をした不正開封防止用の内蓋を設けた二重の密閉構造をした中空容器として、熱可塑性合成樹脂を用いてブロー成形した中空容器にマヨネーズやケチャップ等を収容して、該容器の口頸部の開口端を、合成樹脂フィルムその他の薄いシート材からなるシール材からなる内蓋を熱溶着、接着剤等の接着手段により密封した後に、前記口頸部にネジ蓋等の外蓋を螺合もしくは嵌合して二重構造に密封したものが広く知られている。
【０００６】
しかし、上記のような構造をした二重に密閉する中空容器は、シール材の接着強度が強すぎると内蓋を剥がすのに少々手間取ったり、また、このような容器はマヨネーズやケチャップ等の粘稠な内容物を収容しておいて、内容物を絞り出して使用するようなものには適しているが、シャンプーやリンス、液体洗剤あるいは食用油等の少しばかりの粘性を有していて、注出時には開口部での液切れに注意が必要な内容物を収容するのには適していない。
【０００７】
このような欠点をなくして、容易に剥離可能なシール材からなる内蓋を設けて密封した不正開封防止の構造にした熱可塑性合成樹脂からなる密封中空容器として、実開平６−３５１５６号公報に記載するような容器を、本願出願人は提案している。
この容器は、図７及び８に示すように、注出口を形成する円筒状の中栓体４２を容器本体４１の口頸部４１ａに固着すると共に、該栓体には頂壁の中央部に注ぎ口４３が穿設されていて、摘まみ片４４ａを有するシール材４４を頂壁面に剥離可能に接着して前記注ぎ口４２を密閉して、容器の口頸部４１ａに外蓋４５を螺合して二重構造に密封したものである。
【０００８】
上記の容器は、シール材４４の円形基部を中栓の頂壁部分より若干小さく形成すると共に、摘まみ片４４ａが中栓の頂壁段部に突出して外蓋４５の内側に納まるように形成されていて、開封する時には摘まみ片を引っ張ることによりシール材が破断線に沿って容易に剥離するように構成したものである。
しかし、この容器を使用するには外蓋を捻って開封しなければならず、シャンプーや液体洗剤等は頻繁に使用する容器では、開口部を密閉する蓋体も簡単に開閉ができるものが好まれる。
【０００９】
【発明が解決しようとする課題】
従来の容器に比べて、構造が簡単にして、不正開封を防止できて、二重蓋の構造にした粘性液体を収容する容器であって、蓋の開閉が容易にできて、内容液が注出し易くて、且つ、注出時に開口部での液切れが良好である容器が安価に製造することができて、使用する材料が極力少なくて済むようにして地球環境への対応にも適した熱可塑性合成樹脂製の中空容器を提供することを目的とする。
【００１０】
【課題を解決するための手段】
熱可塑性合成樹脂を所定の形状に成形してなるプリフォームを中空容器にブロー成形することにより、中空容器の胴部と口頸部とを一体に成形すると共に胴部は肉薄に成形し、前記口頸部先端の注出口部分に切欠き状の注ぎ口を形成して、該注出口の内側にフィルム状の密封片を剥離可能に接着して密封して、更に、前記注出口の外周部にキャップ状の外蓋を嵌合、固定して密閉することにより二重密封状態となして、前記密封片を保護すると共に注出口内に塵等が侵入するのを防止した注ぎ口付き中空容器を構成する。
【００１１】
また、熱可塑性合成樹脂からなるプリフォームを中空容器にブロー成形して、中空容器の胴部と口頸部とを一体に成形すると共に、口頸部先端の注出口部分に切欠き状の注ぎ口を形成して、該口頸部の内面にはフィルム状の密封片を剥離可能に接着して密封する環状に突出した段面を形成して、更に、前記口頸部の外側面には注出口に嵌合したキャップ状の外蓋に係合して密封固定する係合突起とネックリングとを形成して、嵌合した外蓋により前記密封片を保護すると共に注出口内に塵等が侵入するのを防止する。
【００１２】
【発明の実施の形態】
熱可塑性合成樹脂を射出成形により所定形状をしたプリフォームに成形して、口頸部の注出口部分に注ぎ口を形成すると共に、口頸部の内面に密封体を接着する段部を、口頸部の外面にキャップ状の保護蓋を係止する突起が形成されてなる該プリフォームを、延伸ブロー成形に適した温度に加熱してからブロー成形装置に供給して延伸ブロー成形操作を施して中空容器に成形する。
【００１３】
続いて、前記中空容器内に内容物を適当量だけ収容した後、前記口頸部の内面の段部にフィルム状の密封体を剥離可能に接着して密封すると共に、前記注出口にキャップ状をした保護蓋を嵌合して突起に係止して、不正開封を防止した注出性が良好な液体入りの密封中空容器を形成する。
【００１４】
【実施例】
以下に、本願発明の密封中空容器について、最適な実施例に基づいて、図面を参照しつつ説明する。
ポリエチレンテレフタレート（ＰＥＴ）樹脂を射出成形装置により、図１に示すように、容器の口頸部分２を形成する注出口３とネックリング４と、容器の胴体部分を形成する本体部分５とからなるプリフォーム１を成形すると同時に、該プリフォームの注出口３の端部には切欠き状をした注ぎ口部３ａを、口頸部２の外周面にはキャップ状の外蓋体を係止する係止突起２ａを、口頸部２の内周面にはフィルム状の密封体を接着する突起壁２ｂを、それぞれ形成した所定形状のプリフォーム１に成形する。
【００１５】
続いて、上記プリフォーム１を延伸ブロー成形装置に移送、供給して、加熱工程部に於いてブロー成形をするに適した温度に加熱した後、該プリフォーム１をブロー成形工程部に移送してブロー成形金型内に保持してから、プリフォーム内に加圧空気を吹き込んで２軸延伸ブロー成形を行い、必要に応じてヒートセット等の処理を施してから冷却して、成形金型外に排出して、図２に示したような壜形をした自立可能な中空容器１１を成形する。
【００１６】
このようにして成形した中空容器１１は、やや肉厚に成形して強度を有する口頸部１２と、それに続くやや肉薄に成形されて、容易に押圧変形することができて、自立可能な形状をした中空胴部１５とからなり、前記口頸部１２の先端部に設けた注出口１３には、図４に示すように、筒状壁部の一部を切欠いた形状にした注ぎ口１３ａが形成されていて、また、口頸部１２の内周面には剥離可能に密封片１６を接着する突起した平面部１２ｂが、且つ、外周面には外蓋１７を係止する係合突起１２ａとネックリング１４が形成されたものとなる。
【００１７】
次に、前記中空容器１１に内容物を適当な決められた量だけ充填したら、前記口頸部１２の内側の突起した面にフィルム等からなる密封片１６を剥離可能に接着して開口部を密封した後で、別途射出成形等により成形しておいたキャップ状をした外蓋１７を、前記注出口に形成した注ぎ口部分１３ａを完全に覆い隠すように口頸部１２の外周面に被せて、該外蓋１７の内面に形成した凹溝を前記口頸部の係止突起１２ａに係合せしめて係止することにより、前記口頸部内に設けられた内蓋たる密封片１６は保護されると同時に、口頸部内にゴミやホコリが進入するのを防止することもできる。
そして、前記密封片１６には、図に示すように、摘み部分１６ａを突出するように設けておけば、開封するのが非常に簡単となる。
【００１８】
また、容器の大きさやデザイン等の関係から口頸部の内径の大きさが制約を受けて、上記したように口頸部の内部に剥離可能な密封片を接着するための突出した平面部１２ｂを設けることが困難な場合には、図３に示すように、口頸部２２の先端寄りの部分を階段状に大径となした注出口２３を形成して、該階段状をした平面部２２ｂに密封片２６を剥離可能に接着できるように形成して、該注出口２３の壁面の一部を切欠いた形状の注ぎ口を形成すると共に、前記口頸部２２の外面に外蓋２７を係止するための係止突起２２ａを設けることにより、二重蓋により密閉される中空容器２１を形成することができる。
【００１９】
そして、前記したように口頸部の注出口に切欠き状に設けられる注ぎ口は、図４に示されるように、半円形状または四角形状、台形状等の色々な形状に切欠いたものとすることができて、容器の形状や大きさ、容器内に収容した液体の粘性等の条件に合わせて、自由に選択することができる。
そして、これらの注ぎ口を設ける数は、通常は口頸部の適当な部分に一つだけ設けておいて充分であるが、二箇所の部分に対称となるように設けておけば、内容液を注出するのが便利で、特に、注ぎ口を開閉する際に、外蓋を着脱して開口する代わりに、外蓋を回動せしめて開口する場合には一層便利である。
【００２０】
【発明の効果】
以上、説明したように、本願の発明は、内蓋の密封構造を従来よりも簡単にして、且つ、容易に剥離することができて、また、外蓋の開閉が容易にできて、内容液の注出時には液切れが良好である。
更に、使用する合成樹脂材料が少なくて、安価で、簡単に製造することができて、且つ、内蓋である密封片を保護すると共に注出口内に塵等が侵入するの防ぐことができる。
【図面の簡単な説明】
【図１（ａ）】本願発明の容器を製造するためのプリフォームを示す斜視図である。
【図１（ｂ）】図１（ａ）に示したプリフォームの縦断面図である。
【図２】本願発明の容器を示す縦断面図である。
【図３】本願発明の容器の別の実例例を示す縦断面図である。
【図４】本願発明の容器の注ぎ口の各種形状を示した斜視図で、（ａ）は半円形状に、（ｂ）は四角形状に、（ｃ）は台形状に、それぞれ切り欠いた斜視図である。
【図５】従来の密封容器の例を示す縦断面図である。
【図６】図５に示した密封容器の斜視図である。
【図７】本願発明の先行例を示す縦断面図である。
【図８】図７に示した密封容器の斜視図である。
【符号の説明】
１．    プリフォーム
２．    口頸部
３．    注出口
３ａ．  注ぎ口部
４．    ネックリング
５．    容器本体部
１１．  中空容器
１２．  容器の口頸部
１２ｂ．平面部
１３．  容器の注出口
１３ａ．容器の注ぎ口
１４．  容器のネックリング
１５．  容器の胴部
１６．  密封片
１７．  外蓋
２２．  容器の口頸部
２２ｂ．平面部
２３．  注出口
【図１】
0004061340.tif 000002
【図２】
0004061340.tif 000003
【図３】
0004061340.tif 000004
【図４】
0004061340.tif 000005
【図５】
0004061340.tif 000006
【図６】
0004061340.tif 000007
【図７】
0004061340.tif 000008
【図８】
0004061340.tif 000009